(57)【要約】【課題】貯湯タンク内に導入した水または湯の水流によって貯湯タンク内の水と湯との境界層が破壊される事態を回避する。【解決手段】水Ｗｃと湯Ｗｈとを貯留空間Ａ内に貯留可能に構成されたタンク本体１１を備えると共に、タンク本体１１における下方側には、水Ｗｃを導入するための給水口１５と、貯留空間Ａ内の水Ｗｃを取水して加温装置に供給するための取水口１６とが設けられ、かつタンク本体１１における上方側には、湯Ｗｈを導入するための給湯口１７と、貯留空間Ａ内の湯Ｗｈを出湯するための出湯口１８とが設けられると共に、水Ｗｃおよび湯Ｗｈの通過が可能な複数の孔が形成された板体で構成されて、貯留空間Ａ内における下方側に配設された状態でタンク本体１１に固定され、貯留空間Ａを、給水口１５および取水口１６の側の貯留空間Ａ１と、給湯口１７および出湯口１８の側の貯留空間Ａ２〜Ａ５とに仕切る仕切板１２ａを備えている。【選択図】図３
2012026601.tif 000002
【特許請求の範囲】
【請求項１】
加温装置によって加温すべき水と当該加温装置が当該水を加温して生成した湯とを貯留空間内に貯留可能に構成されたタンク本体を備えると共に、当該タンク本体における下方側には、前記水を前記貯留空間内に導入するための給水口と、前記貯留空間内の前記水を取水して前記加温装置に供給するための取水口とが設けられ、かつ前記タンク本体における上方側には、前記加温装置によって加温された前記湯を前記貯留空間内に導入するための給湯口と、前記貯留空間内の前記湯を出湯するための出湯口とが設けられている貯湯タンクであって、
前記水および前記湯の通過が可能な複数の孔が形成された板体で構成されて、前記貯留空間内における下方側に配設された状態で前記タンク本体に固定されると共に、当該貯留空間を、前記給水口および前記取水口の側の第１の空間と、前記給湯口および前記出湯口の側の第２の空間とに仕切る第１の仕切板を備えている貯湯タンク。
【請求項２】
前記給水口から前記第１の空間内に導入された前記水が当接可能に当該給水口および前記第１の仕切板の間に配設されて当該導入された水の進行方向を前記タンク本体の上下方向と交差する向きに変化させる第１の整流板を備えている請求項１記載の貯湯タンク。
【請求項３】
加温装置によって加温すべき水と当該加温装置が当該水を加温して生成した湯とを貯留空間内に貯留可能に構成されたタンク本体を備えると共に、当該タンク本体における下方側には、前記水を前記貯留空間内に導入するための給水口と、前記貯留空間内の前記水を取水して前記加温装置に供給するための取水口とが設けられ、かつ前記タンク本体における上方側には、前記加温装置によって加温された前記湯を前記貯留空間内に導入するための給湯口と、前記貯留空間内の前記湯を出湯するための出湯口とが設けられている貯湯タンクであって、
前記水および前記湯の通過が可能な複数の孔が形成された板体で構成されて、前記貯留空間内における上方側に配設された状態で前記タンク本体に固定されると共に、当該貯留空間を、前記給湯口および前記出湯口の側の第３の空間と、前記給水口および前記取水口の側の第４の空間とに仕切る第２の仕切板を備えている貯湯タンク。
【請求項４】
前記給湯口から前記第３の空間内に導入された前記湯が当接可能に当該給湯口および前記第２の仕切板の間に配設されて当該導入された湯の進行方向を前記タンク本体の上下方向と交差する向きに変化させる第２の整流板を備えている請求項３記載の貯湯タンク。
【請求項５】
前記水および前記湯の通過が可能な複数の孔が形成された板体で構成されて、前記貯留空間内における上下方向の中央部に配設された状態で前記タンク本体に固定されると共に、当該貯留空間を、前記給水口および前記取水口の側の第５の空間と、前記給湯口および前記出湯口の側の第６の空間とに仕切る第３の仕切板を備えている請求項１から４のいずれかに記載の貯湯タンク。
【請求項６】
前記取水口から前記第１の空間内に逆流した前記水が当接可能に当該取水口および前記第１の仕切板の間に配設されて当該逆流した水の進行方向を前記タンク本体の上下方向と交差する向きに変化させる第３の整流板を備えている請求項１から５のいずれかに記載の貯湯タンク。
【請求項７】
請求項１から６のいずれかに記載の貯湯タンクと、前記加温装置と、前記取水口から前記貯留空間内の前記水を取水して前記加温装置に供給すると共に当該加温装置によって加温された前記湯を当該貯留空間内に導入するポンプとを備え、
前記給水口から前記貯留空間内への前記水の給水圧力によって当該貯留空間内の前記湯を前記出湯口から出湯可能に構成されている貯湯式温水器。
【発明の詳細な説明】
【技術分野】
【０００１】
本発明は、加温すべき水および加温された湯の双方を貯留空間内に貯留可能に構成された貯湯タンク、およびその貯湯タンクを備えて構成された貯湯式温水器に関するものである。
【背景技術】
【０００２】
この種の貯湯タンクを備えた貯湯式温水器として、特開平１０−１４８３９９号公報に貯湯式電気温水器（以下、単に「温水器」ともいう）が開示されている。この温水器は、タンク本体の底壁部に給水口が設けられると共にタンク本体の上壁部に給湯口（湯を出湯する出湯口）が設けられた貯湯タンクと、貯湯タンク内に配設された電気ヒータとを備えている。この場合、上記の貯湯タンク内には、バッフル構造体が取り付けられている。このバッフル構造体は、給水口と所定の間隔を開けて対向配置された整流板を備え、給水口から貯湯タンク内に流入した水の動圧によって貯湯タンク内における整流板の位置が変位するように整流板を支持する構造（整流板支持構造）に形成されている。具体的には、このバッフル構造体は、給水口から流入した水の動圧が大きくなったときに給水口から離間する方向に整流板を移動させ、動圧が小さくなったときに給水口に接近する方向に整流板を移動させるように整流板が支持されている。
【０００３】
この場合、この種の貯湯タンクでは、ヒータ等の加温装置によって加温すべき水と、加温装置によって加温された湯との双方を、貯湯タンク内の連続する１つの貯留空間内に貯留する構成が採用されている。具体的には、加温すべき水を貯湯タンク（貯留空間）の下方に位置させると共に、加温された湯を貯湯タンク（貯留空間）の上方に位置させて、水と湯とが接した状態を維持して貯湯タンク（貯留空間）内に貯留する構成が採用されている。したがって、この種の貯湯タンクでは、貯留空間の下方に位置する水と上方に位置する湯とを物理的に隔離する隔離材が存在しないため、給水口から貯湯タンク内に勢い良く水が流入したときに、下方に位置している水と上方に位置している湯との境界（境界層）が水流によって破壊されて、水と湯とが混合される事態を招くおそれがある。このような状態では、水と混合した湯の量だけ、出湯可能な湯の量が減少する。
【０００４】
一方、従来の温水器では、上記したように、整流板を有するバッフル構造体が貯湯タンク内に取り付けられている。したがって、この温水器では、出湯に際して給水口から貯湯タンク内に水が導入された際に、貯湯タンク内に上向きに流入した水が整流板に当接して、その進行方向が横向きに変化させられる。これにより、従来の温水器では、給水口から貯湯タンク内に流入した水が境界層に向けて貯湯タンク内を勢い良く流動するのを阻止して、上記の境界層が水流によって破壊される事態を回避しようとしている。
【先行技術文献】
【特許文献】
【０００５】
【特許文献１】特開平１０−１４８３９９号公報（第４−５頁、第１−５図）
【発明の概要】
【発明が解決しようとする課題】
【０００６】
ところが、従来の温水器には、以下の解決すべき課題が存在する。すなわち、従来の温水器では、整流板（バッフル構造体）を給水口に対向配置して貯湯タンク内に取り付けて給水口から流入する水を整流板に当接させて進行方向を横向きに変化させることで、給水口からの水流によって境界層が破壊される事態を回避しようとしている。しかしながら、従来の温水器では、給水口から流入した水の進行方向が整流板によって上向きから横向きに変化させられるものの、貯湯タンク内を横向きに流動した水がタンク本体の内壁面に当接した際に、その進行方向が上下方向に変化する。この場合、給水口から貯湯タンクに流入する水の流量が多いときには、内壁面に沿って貯湯タンク内を移動する水の流量も増加する。このため、従来の温水器では、給水口から流入した水が境界層に向かって貯湯タンク内を流動するのを回避するために整流板（バッフル構造体）を設けているにも拘わらず、貯湯タンクの内壁面に沿って流動する水流によって境界層が破壊されることがあるという問題点が存在する。
【０００７】
一方、今日では、加温装置としてのヒートポンプを備えた貯湯式温水器が普及し始めている。この貯湯式温水器では、従来の温水器とは異なり、加温装置としてのヒートポンプが貯湯タンクとは別体に配設されて、貯湯タンク内の水を取水してヒートポンプによって加温することで湯を生成した後に、生成した湯を貯湯タンクに導入して貯湯する構成が採用されている。このような構成の貯湯式温水器では、ヒートポンプによる水の加温効率が日々向上しており、単位時間当りに貯湯タンク内に導入可能な湯量が増加する傾向がある。したがって、この種の貯湯式温水器では、従来の温水器における「給水口からの水の水流による境界層の破壊」の問題と同様にして、貯湯タンクに設けられた給湯口（ヒートポンプによって加温された湯を貯湯タンクに導入するための導入口）から貯湯タンク内に流入した湯の水流によって境界層が破壊される事態を招くおそれがある。
【０００８】
本発明は、かかる解決すべき課題に鑑みてなされたものであり、貯湯タンク内に導入した水または湯の水流によって貯湯タンク内の水と湯との境界層が破壊される事態を回避し得る貯湯タンクおよび貯湯式温水器を提供することを主目的とする。
【課題を解決するための手段】
【０００９】
上記目的を達成すべく請求項１記載の貯湯タンクは、加温装置によって加温すべき水と当該加温装置が当該水を加温して生成した湯とを貯留空間内に貯留可能に構成されたタンク本体を備えると共に、当該タンク本体における下方側には、前記水を前記貯留空間内に導入するための給水口と、前記貯留空間内の前記水を取水して前記加温装置に供給するための取水口とが設けられ、かつ前記タンク本体における上方側には、前記加温装置によって加温された前記湯を前記貯留空間内に導入するための給湯口と、前記貯留空間内の前記湯を出湯するための出湯口とが設けられている貯湯タンクであって、前記水および前記湯の通過が可能な複数の孔が形成された板体で構成されて、前記貯留空間内における下方側に配設された状態で前記タンク本体に固定されると共に、当該貯留空間を、前記給水口および前記取水口の側の第１の空間と、前記給湯口および前記出湯口の側の第２の空間とに仕切る第１の仕切板を備えている。
【００１０】
また、請求項２記載の貯湯タンクは、請求項１記載の貯湯タンクにおいて、前記給水口から前記第１の空間内に導入された前記水が当接可能に当該給水口および前記第１の仕切板の間に配設されて当該導入された水の進行方向を前記タンク本体の上下方向と交差する向きに変化させる第１の整流板を備えている。
【００１１】
また、請求項３記載の貯湯タンクは、加温装置によって加温すべき水と当該加温装置が当該水を加温して生成した湯とを貯留空間内に貯留可能に構成されたタンク本体を備えると共に、当該タンク本体における下方側には、前記水を前記貯留空間内に導入するための給水口と、前記貯留空間内の前記水を取水して前記加温装置に供給するための取水口とが設けられ、かつ前記タンク本体における上方側には、前記加温装置によって加温された前記湯を前記貯留空間内に導入するための給湯口と、前記貯留空間内の前記湯を出湯するための出湯口とが設けられている貯湯タンクであって、前記水および前記湯の通過が可能な複数の孔が形成された板体で構成されて、前記貯留空間内における上方側に配設された状態で前記タンク本体に固定されると共に、当該貯留空間を、前記給湯口および前記出湯口の側の第３の空間と、前記給水口および前記取水口の側の第４の空間とに仕切る第２の仕切板を備えている。
【００１２】
さらに、請求項４記載の貯湯タンクは、請求項３記載の貯湯タンクにおいて、前記給湯口から前記第３の空間内に導入された前記湯が当接可能に当該給湯口および前記第２の仕切板の間に配設されて当該導入された湯の進行方向を前記タンク本体の上下方向と交差する向きに変化させる第２の整流板を備えている。
【００１３】
また、請求項５記載の貯湯タンクは、請求項１から４のいずれかに記載の貯湯タンクにおいて、前記水および前記湯の通過が可能な複数の孔が形成された板体で構成されて、前記貯留空間内における上下方向の中央部に配設された状態で前記タンク本体に固定されると共に、当該貯留空間を、前記給水口および前記取水口の側の第５の空間と、前記給湯口および前記出湯口の側の第６の空間とに仕切る第３の仕切板を備えている。
【００１４】
さらに、請求項６記載の貯湯タンクは、請求項１から５のいずれかに記載の貯湯タンクにおいて、前記取水口から前記第１の空間内に逆流した前記水が当接可能に当該取水口および前記第１の仕切板の間に配設されて当該逆流した水の進行方向を前記タンク本体の上下方向と交差する向きに変化させる第３の整流板を備えている。
【００１５】
また、請求項７記載の貯湯式温水器は、請求項１から６のいずれかに記載の貯湯タンクと、前記加温装置と、前記取水口から前記貯留空間内の前記水を取水して前記加温装置に供給すると共に当該加温装置によって加温された前記湯を当該貯留空間内に導入するポンプとを備え、前記給水口から前記貯留空間内への前記水の給水圧力によって当該貯留空間内の前記湯を前記出湯口から出湯可能に構成されている。
【発明の効果】
【００１６】
請求項１記載の貯湯タンク、およびこの貯湯タンクを備えた貯湯式温水器によれば、水および湯の通過が可能な複数の孔が形成された板体で構成されて、貯留空間内における下方側に配設された状態でタンク本体に固定されると共に、貯留空間を、給水口および取水口の側の第１の空間と、給湯口および出湯口の側の第２の空間とに仕切る第１の仕切板を備えたことにより、貯留空間内への水の導入に際して、タンク本体の底部と第１の仕切板との間の第１の空間に水が導入されるため、貯留空間内に流入した水が直ちに第１の仕切板よりも上方に移動する事態を回避することができると共に、第１の空間内の水圧によって第１の仕切板の全域においてほぼ均等に水が各孔を通過させられて第２の空間に移動する結果、水が上向きに移動する速度を十分に低下させることができる。したがって、貯留空間内に貯水されている水や貯留空間内に貯湯されている湯に向かって、給水口から導入した水が勢い良く流れ込む事態を回避することができるため、導入した水の水流によって水と湯との境界層が破壊される事態を回避することができる。
【００１７】
また、請求項２記載の貯湯タンク、およびこの貯湯タンクを備えた貯湯式温水器によれば、給水口から第１の空間内に導入された水が当接可能に給水口および第１の仕切板の間に配設されて導入された水の進行方向をタンク本体の上下方向と交差する向きに変化させる第１の整流板を備えたことにより、給水口から第１の空間内に上向きに流入した水の進行方向が第１の整流板によって変化させられた時点において、この水が貯留空間の上方側に貯湯されている湯に向かって移動する速度（貯留空間内における水の上向きの移動速度）が十分に低下させられる。この結果、導入した水の水流によって水と湯との境界層が破壊される事態を一層好適に回避することができる。
【００１８】
さらに、請求項３記載の貯湯タンク、およびこの貯湯タンクを備えた貯湯式温水器によれば、水および湯の通過が可能な複数の孔が形成された板体で構成されて、貯留空間内における上方側に配設された状態でタンク本体に固定されると共に、貯留空間を、給湯口および出湯口の側の第３の空間と、給水口および取水口の側の第４の空間とに仕切る第２の仕切板を備えたことにより、貯留空間内への湯の導入に際して、タンク本体の天部と第２の仕切板との間の第３の空間に湯が導入されるため、貯留空間内に流入した湯が直ちに第２の仕切板よりも下方に移動する事態を回避することができると共に、第３の空間内の水圧によって第２の仕切板の全域においてほぼ均等に湯が各孔を通過させられて第４の空間に移動する結果、湯が下向きに移動する速度を十分に低下させることができる。したがって、貯留空間内に貯湯されている湯や貯留空間内に貯水されている水に向かって給湯口から導入した湯が勢い良く流れ込む事態を回避することができる。この結果、導入した湯の水流によって水と湯との境界層が破壊される事態を回避することができる。
【００１９】
また、請求項４記載の貯湯タンク、およびこの貯湯タンクを備えた貯湯式温水器によれば、給湯口から第３の空間内に導入された湯が当接可能に給湯口および第２の仕切板の間に配設されて導入された湯の進行方向をタンク本体の上下方向と交差する向きに変化させる第２の整流板を備えたことにより、給湯口から第３の空間内に下向きに流入した湯の進行方向が第２の整流板によって変化させられた時点において、この湯が貯留空間の下方側に貯水されている水に向かって移動する速度（貯留空間内における湯の下向きの移動速度）が十分に低下させられる。この結果、導入した湯の水流によって水と湯との境界層が破壊される事態を一層好適に回避することができる。
【００２０】
さらに、請求項５記載の貯湯タンク、およびこの貯湯タンクを備えた貯湯式温水器によれば、水および湯の通過が可能な複数の孔が形成された板体で構成されて、貯留空間内における上下方向の中央部に配設された状態でタンク本体に固定されると共に、貯留空間を、給水口および取水口の側の第５の空間と、給湯口および出湯口の側の第６の空間とに仕切る第３の仕切板を備えたことにより、貯留空間内に流入した水が直ちに第３の仕切板よりも上方に移動する事態を回避することができると共に、第５の空間内の水圧によって第３の仕切板の全域においてほぼ均等に水が各孔を通過させられて第６の空間に移動する結果、水が上向きに移動する速度を十分に低下させることができる。したがって、貯留空間内に貯湯されている湯に向かって、水が勢い良く流れ込む事態を回避することができるため、導入した水の水流によって水と湯との境界層が破壊される事態を一層好適に回避することができる。また、この貯湯タンク、および貯湯タンクを備えた貯湯式温水器によれば、貯留空間内に流入した湯が直ちに第３の仕切板よりも下方に移動する事態を回避することができると共に、第６の空間内の水圧によって第３の仕切板の全域においてほぼ均等に湯が各孔を通過させられて第５の空間に移動する結果、湯が下向きに移動する速度を十分に低下させることができる。したがって、貯留空間内に貯水されている水に向かって、湯が勢い良く流れ込む事態を回避することができるため、導入した湯の水流によって水と湯との境界層が破壊される事態を一層好適に回避することができる。
【００２１】
また、請求項６記載の貯湯タンク、およびこの貯湯タンクを備えた貯湯式温水器によれば、取水口から第１の空間内に逆流した水が当接可能に取水口および第１の仕切板の間に配設されて逆流した水の進行方向をタンク本体の上下方向と交差する向きに変化させる第３の整流板を備えたことにより、ポンプの逆回転等によって取水口から第１の空間内に上向きに逆流した水の進行方向が第３の整流板によって変化させられた時点において、この水が貯留空間の上方側に貯湯されている湯に向かって移動する速度（貯留空間内における水の上向きの移動速度）が十分に低下させられる。この結果、ポンプの逆回転等に起因して逆流した水の水流によって水と湯との境界層が破壊される事態を好適に回避することができる。
【図面の簡単な説明】
【００２２】
【図１】本発明の実施の形態に係る貯湯式温水器１（貯湯タンク２）の構成を示す構成図である。
【図２】本発明の実施の形態に係る貯湯タンク２の水平断面図（仕切板１２ａ〜１２ｄの平面図）である。
【図３】本発明の実施の形態に係る貯湯式温水器１における貯湯タンク２の内部構造を示す垂直断面図である。
【図４】本発明の実施の形態に係る貯湯式温水器１における貯湯タンク２の整流板１３ａによる水Ｗｃの整流について説明するための説明図である。
【図５】本発明の実施の形態に係る貯湯式温水器１における貯湯タンク２の整流板１３ｂによる湯Ｗｈの整流について説明するための説明図である。
【図６】本発明の実施の形態に係る貯湯式温水器１における貯湯タンク２の整流板１３ｃによる水Ｗｃの整流について説明するための説明図である。
【図７】本発明の他の実施の形態に係る貯湯タンク２の水平断面図（仕切板３２ａ〜３２ｄの平面図）である。
【発明を実施するための形態】
【００２３】
以下、添付図面を参照して、本発明に係る貯湯タンクおよび貯湯式温水器の実施の形態について説明する。
【００２４】
図１に示す貯湯式温水器１は、貯湯タンク２、ヒートポンプ３および循環ポンプ４を備え、ヒートポンプ３によって加温した湯Ｗｈ（温水：「加温装置が水を加温して生成した湯」の一例）を貯湯タンク２内に貯湯しておき、この湯Ｗｈを任意のタイミングで所要量だけ出湯する構成が採用されている。貯湯タンク２は、タンク本体１１、仕切板１２ａ〜１２ｄおよび整流板１３ａ〜１３ｃを備えている。タンク本体１１は、図２，３に示すように、一例として、ステンレススチール等の金属材料で、円筒形に形成されて、図３に示すように、水Ｗｃおよび湯Ｗｈを貯留可能な貯留空間Ａが設けられている（つまり、水Ｗｃと湯Ｗｈとを連続する１つの貯留空間Ａ内に貯留可能に構成されている）。なお、実際には、タンク本体１１を覆うようにして配設された断熱材や、タンク本体１１および断熱材を覆うケーシング等を備えているが、「貯湯タンク」の構成についての理解を容易とするために、これらの図示および説明を省略する。
【００２５】
この場合、タンク本体１１の底板１１ａ（タンク本体１１の底部）には、給水用配管５を介して上水道等の給水源からの水Ｗｃ（冷水：「加温装置によって加温すべき水」の一例）を貯留空間Ａ内に導入するための給水口１５と、取水用配管６を介して貯留空間Ａ内の水Ｗｃを取水してヒートポンプ３に供給するための取水口１６とが設けられている（「タンク本体における下方側に給水口と取水口とが設けられ」との構成の一例）。これにより、この貯湯タンク２では、タンク本体１１の給水口１５から貯留空間Ａにおける下方側に水Ｗｃが導入されることとなる。なお、この貯湯式温水器１では、給水源からの水Ｗｃの給水圧力を減圧する減圧弁（図示せず）が上記の給水用配管５に配設され、この減圧弁によって減圧された水Ｗｃが給水口１５から貯留空間Ａ内に導入される構成が採用されている。
【００２６】
また、タンク本体１１の天板１１ｂ（タンク本体１１の天部）には、給湯用配管７を介してヒートポンプ３によって加温された湯Ｗｈを貯留空間Ａ内に導入するための給湯口１７と、出湯用配管８を介して貯留空間Ａ内の湯Ｗｈを出湯するための出湯口１８とが設けられている（「タンク本体における上方側に給湯口と出湯口とが設けられ」との構成の一例）。これにより、この貯湯タンク２では、タンク本体１１の給湯口１７から貯留空間Ａにおける上方側に湯Ｗｈが導入されることとなる。
【００２７】
仕切板１２ａは、「第１の仕切板」の一例であって、図２に示すように、この貯湯タンク２では、「複数の孔が形成された板体」の一例である板状の金属メッシュで円板状に形成されて、網目が「複数の孔」である複数の小孔として機能するように構成されている。なお、この貯湯タンク２では、後述する仕切板１２ｂ〜１２ｄが仕切板１２ａと同じ板体（板状の金属メッシュ）で円板状に形成されている。この場合、仕切板１２ａは、その外径Ｌｏがタンク本体１１の内径Ｌｉと同径に形成されて、図３に示すように、貯留空間Ａ内における下方側に配設された状態でタンク本体１１に固定されている。具体的には、この仕切板１２ａは、貯留空間Ａを、給水口１５および取水口１６の側の貯留空間Ａ１（「第１の空間」の一例）と、給湯口１７および出湯口１８の側の貯留空間Ａ２〜Ａ５（「第２の空間」の一例）とに仕切るように（貯留空間Ａ１と、貯留空間Ａ２〜Ａ５とに区切るように）タンク本体１１に固定されている。これにより、この貯湯タンク２では、貯留空間Ａのうちの貯留空間Ａ１内に給水口１５から水Ｗｃが導入されることとなる。
【００２８】
仕切板１２ｂは、「第２の仕切板」の一例であって、図２に示すように、上記の仕切板１２ａと同様にして、その外径Ｌｏがタンク本体１１の内径Ｌｉと同径に形成されて、図３に示すように、貯留空間Ａ内における上方側に配設された状態でタンク本体１１に固定されている。具体的には、この仕切板１２ｂは、貯留空間Ａを、給湯口１７および出湯口１８の側の貯留空間Ａ５（「第３の空間」の一例）と、給水口１５および取水口１６の側の貯留空間Ａ１〜Ａ４（「第４の空間」の一例）とに仕切るように（貯留空間Ａ５と、貯留空間Ａ１〜Ａ４とに仕切るように）タンク本体１１に固定されている。これにより、この貯湯タンク２では、貯留空間Ａのうちの貯留空間Ａ５内に給湯口１７から湯Ｗｈが導入されることとなる。
【００２９】
仕切板１２ｃ，１２ｄは、それぞれ「第３の仕切板」に相当し、図２に示すように、上記の仕切板１２ａ，１２ｂと同様にして、その外径Ｌｏがタンク本体１１の内径Ｌｉと同径に形成されている。この場合、図３に示すように、仕切板１２ｃは、貯留空間Ａ内における上下方向の中央部（この例では、中央部下方寄り）に配設された状態でタンク本体１１に固定されると共に、貯留空間Ａを、給水口１５および取水口１６の側の貯留空間Ａ１，Ａ２（「第５の空間」の一例）と、給湯口１７および出湯口１８の側の貯留空間Ａ３〜Ａ５（「第６の空間」の一例）とに仕切る（貯留空間Ａ１，Ａ２と、貯留空間Ａ３〜Ａ５とに仕切る）。また、仕切板１２ｄは、貯留空間Ａ内における上下方向の中央部（この例では、中央部上方寄り）に配設された状態でタンク本体１１に固定されると共に、貯留空間Ａを、給水口１５および取水口１６の側の貯留空間Ａ１〜Ａ３（「第５の空間」の他の一例）と、給湯口１７および出湯口１８の側の貯留空間Ａ４，Ａ５（「第６の空間」の他の一例）とに仕切る（貯留空間Ａ１〜Ａ３と、貯留空間Ａ４，Ａ５とに区切る）。
【００３０】
整流板１３ａは、「第１の整流板」の一例であって、図３に示すように、給水口１５から貯留空間Ａ１内に導入された水Ｗｃが当接可能に給水口１５および仕切板１２の間に配設されている。この整流板１３ａは、図４に示すように、給水口１５から貯留空間Ａ１内に導入された水Ｗｃの進行方向（この例では、上向き）をタンク本体１１の上下方向と交差する矢印ｉ１の向き（タンク本体１１の径方向に放射状に拡がる向き：以下、「横向き」ともいう）に変化させる。また、整流板１３ｂは、「第２の整流板」の一例であって、図３に示すように、給湯口１７から貯留空間Ａ５内に導入された湯Ｗｈが当接可能に給湯口１７および仕切板１２ｂの間に配設されている。この整流板１３ｂは、図５に示すように、給湯口１７から貯留空間Ａ５内に導入された湯Ｗｈの進行方向（この例では、下向き）をタンク本体１１の上下方向と交差する矢印ｉ２の向き（タンク本体１１の径方向に放射状に拡がる向き：以下、「横向き」ともいう）に変化させる。
【００３１】
さらに、整流板１３ｃは、「第３の整流板」の一例であって、図３に示すように、循環ポンプ４の逆回転等に起因して取水口１６から貯留空間Ａ１内に逆流した水Ｗｃが当接可能に取水口１６および仕切板１２の間に配設されている。この整流板１３ｃは、図６に示すように、取水口１６から貯留空間Ａ１内に逆流した水Ｗｃの進行方向（この例では、上向き）をタンク本体１１の上下方向と交差する矢印ｉ３の向き（タンク本体１１の径方向に放射状に拡がる向き：以下、「横向き」ともいう）に変化させる。なお、この貯湯タンク２では、一例として、整流板１３ａ，１３ｃが図示しないステーを介してタンク本体１１の底板１１ａに固定されると共に、整流板１３ｂが図示しないステーを介してタンク本体１１の天板１１ｂに固定されている。
【００３２】
ヒートポンプ３は、「加温装置」の一例であって、図１に示すように、空気熱交換器２１、圧縮機２２、水熱交換器２３および膨張弁２４を備え、これらが冷媒配管２５ａ〜２５ｄを介して直列的に接続されている。なお、ヒートポンプ３の詳細な構成については公知のため、その図示および説明を省略する。この場合、ヒートポンプ３の水熱交換器２３は、取水用配管６を介して貯湯タンク２のタンク本体１１における下方側（この例では、底板１１ａ）に接続されると共に、給湯用配管７を介してタンク本体１１における上方側（この例では、天板１１ｂ）に接続されている。循環ポンプ４は、「ポンプ」の一例であって、この貯湯式温水器１では、一例として、ヒートポンプ３における水熱交換器２３の上流側（取水用配管６）に取り付けられている。また、循環ポンプ４は、図示しないコントローラの制御に従い、取水口１６から貯留空間Ａ内の水Ｗｃを取水して水熱交換器２３に供給すると共に、水熱交換器２３によって加温された湯Ｗｈを貯留空間Ａに導入される。
【００３３】
この貯湯式温水器１の使用に際しては、貯湯タンク２、ヒートポンプ３および循環ポンプ４等の設置が完了した状態において、給水用配管５を介して給水口１５から貯湯タンク２内に水Ｗｃを導入する。この際には、貯湯タンク２の貯留空間Ａ内が水Ｗｃで満たされると共に、取水用配管６内、給湯用配管７内および出湯用配管８内にも水Ｗｃが満たされた状態となる。この場合、この貯湯式温水器１では、前述したように、給水用配管５が減圧弁を介して上水道配管に接続されている。したがって、貯湯タンク２の貯留空間Ａ内などが水Ｗｃや湯Ｗｈで満たされた状態においては、貯留空間Ａ内などに減圧弁によって減圧された上水道設備からの水圧が加わった状態（加圧された状態）となる。なお、水Ｗｃの導入時における貯留空間Ａ内や各配管６〜８内のエア抜き処理については、その説明を省略する。
【００３４】
次いで、貯留空間Ａ内の水Ｗｃをヒートポンプ３によって加温して、貯留空間Ａ内に湯Ｗｈを貯湯する。具体的には、図示しない操作部を操作してヒートポンプ３および循環ポンプ４を作動させる。この際には、ヒートポンプ３内において冷媒（一例として二酸化炭素）が循環させられることにより、水熱交換器２３内が高温となる。また、循環ポンプ４が取水用配管６を介して貯留空間Ａ内の水Ｗｃを取水口１６から取水して水熱交換器２３に供給し、水熱交換器２３内において冷媒と熱交換して加温された湯Ｗｈを、給湯用配管７を介して貯留空間Ａ内に導入する。
【００３５】
この際に、この貯湯式温水器１（貯湯タンク２）では、給湯口１７と対向するように整流板１３ｂが貯留空間Ａ５内に配設されている。したがって、図５に示すように、給湯口１７から貯留空間Ａ５内に流入した湯Ｗｈは、貯留空間Ａ５内を下向きに移動して整流板１３ｂの上面に当接する。これにより、整流板１３ｂによって湯Ｗｈの進行方向が変化させられて、湯Ｗｈが整流板１３ｂの上面に沿って矢印ｉ２の向き（横向き）に移動させられる。
【００３６】
また、この貯湯式温水器１（貯湯タンク２）では、貯留空間Ａにおける上方側（天板１１ｂ寄り）に金属メッシュで円板状に形成された仕切板１２ｂが固定されている。したがって、給湯口１７から流入した湯Ｗｈが整流板１３ｂによって進行方向を横向きに変化させられて、この湯Ｗｈがタンク本体１１の内壁面に当接して、内壁面に沿ってタンク本体１１の上下方向に移動したときに、上向きに移動した湯Ｗｈが天板１１ｂに当接し、下向きに移動した湯Ｗｈが仕切板１２ｂに当接することとなる。このため、循環ポンプ４の回転数を上げて給湯口１７からの湯Ｗｈの導入量（給湯口１７から導入する単位時間当りの湯Ｗｈの流量）を増加させた場合においても、この湯Ｗｈが貯留空間Ａ５から貯留空間Ａ４に向かって貯留空間Ａ内を下向きに勢い良く流動する事態が回避される。
【００３７】
さらに、貯留空間Ａ５内に湯Ｗｈが導入されているときには、仕切板１２ｂよりも下方側の貯留空間Ａ４の水圧よりも貯留空間Ａ５内の水圧の方が高い状態となる。このような状態では、貯留空間Ａ５内に生じている水圧によって、貯留空間Ａ５内の湯Ｗｈが、仕切板１２ｂの各小孔を通過させられて貯留空間Ａ４内に徐々に移動する。この際には、タンク本体１１における貯留空間Ａ５内の内壁面、天板１１ｂの下面および仕切板１２ｂの上面の全域に対してほぼ均等に水圧が加わることとなる。したがって、仕切板１２ｂの外縁部から中心部までの全域においてほぼ均等に湯Ｗｈが各小孔を通過させられることとなる。これにより、貯留空間Ａ５から貯留空間Ａ４に向けて移動する湯Ｗｈの流速が十分に低下した状態となる。
【００３８】
また、この貯湯式温水器１（貯湯タンク２）では、貯留空間Ａにおける上下方向の中央部上方寄りに、金属メッシュで円板状に形成された仕切板１２ｄが固定されている。したがって、貯留空間Ａ５から貯留空間Ａ４内に湯Ｗｈが移動させられているときには、仕切板１２ｄよりも下方側の貯留空間Ａ３の水圧よりも貯留空間Ａ４内の水圧の方が高い状態となる。このような状態では、貯留空間Ａ４内に生じている水圧によって、貯留空間Ａ４内の湯Ｗｈが、仕切板１２ｄの各小孔を通過させられて貯留空間Ａ３内に徐々に移動する。この際には、タンク本体１１における貯留空間Ａ４内の内壁面、仕切板１２ｂの下面および仕切板１２ｄの上面の全域に対してほぼ均等に水圧が加わることとなる。したがって、仕切板１２ｄの外縁部から中心部までの全域においてほぼ均等に湯Ｗｈが各小孔を通過させられることとなる。これにより、貯留空間Ａ４から貯留空間Ａ３に向けて移動する湯Ｗｈの流速が十分に低下した状態となる。
【００３９】
さらに、この貯湯式温水器１（貯湯タンク２）では、貯留空間Ａにおける上下方向の中央部下方寄りに、金属メッシュで円板状に形成された仕切板１２ｃが固定されている。したがって、貯留空間Ａ４から貯留空間Ａ３内に湯Ｗｈが移動させられているときには、仕切板１２ｄよりも下方側の貯留空間Ａ２の水圧よりも貯留空間Ａ３内の水圧の方が高い状態となる。このような状態では、貯留空間Ａ３内に生じている水圧によって、貯留空間Ａ３内の湯Ｗｈが、仕切板１２ｃの各小孔を通過させられて貯留空間Ａ２内に徐々に移動する。この際には、タンク本体１１における貯留空間Ａ３内の内壁面、仕切板１２ｄの下面および仕切板１２ｃの上面の全域に対してほぼ均等に水圧が加わることとなる。したがって、仕切板１２ｃの外縁部から中心部までの全域においてほぼ均等に湯Ｗｈが各小孔を通過させられることとなる。これにより、貯留空間Ａ３から貯留空間Ａ２に向けて移動する湯Ｗｈの流速が十分に低下した状態となる。
【００４０】
この場合、この貯湯タンク２では、上記したように、給湯口１７から貯留空間Ａ（Ａ５）内に導入された湯Ｗｈが整流板１３ｂに当接して進行方向を横向きに変化させられることにより、貯留空間Ａ内における湯Ｗｈの下方に向かう移動速度が十分に低下させられる。また、給湯口１７から湯Ｗｈが順次導入されることにより、貯留空間Ａ５内に導入された湯Ｗｈが仕切板１２ｂの各小孔を通過して貯留空間Ａ４内に移動する際にも、仕切板１２ｂの外縁部から中心部までの全域においてほぼ均等に湯Ｗｈが各小孔を通過させられるため、貯留空間Ａ内における湯Ｗｈの下方に向かう移動速度が一層低下させられる。さらに、貯留空間Ａ４内に移動させられた湯Ｗｈが仕切板１２ｄを通過して貯留空間Ａ３内に移動する際や、貯留空間Ａ３内に移動させられた湯Ｗｈが仕切板１２ｃを通過して貯留空間Ａ２内に移動する際にも、仕切板１２ｄ，１２ｃの外縁部から中心部までの全域においてほぼ均等に湯Ｗｈが各小孔を通過させられるため、貯留空間Ａ内における湯Ｗｈの下方に向かう移動速度がさらに低下させられる。
【００４１】
したがって、貯留空間Ａ（Ａ１）内の水Ｗｃが循環ポンプ４によって取水口１６から取水され、この水Ｗｃがヒートポンプ３によって加温されて湯Ｗｈとして給湯口１７から貯留空間Ａ（Ａ５）内に導入されることで、貯留空間Ａ内における水Ｗｃの量に対する湯Ｗｈの量が徐々に増加する際に、貯留空間Ａ内に貯水されている水Ｗｃに向かって湯Ｗｈが勢い良く流動する事態が回避される。これにより、湯Ｗｈおよび水Ｗｃが混合される事態を招くことなく、貯留空間Ａの上方側に湯Ｗｈが貯湯され、かつ、貯留空間Ａの下方側に水Ｗｃが貯水された状態が維持されて、貯留空間Ａ内に十分な量の湯Ｗｈが貯湯される。なお、この貯湯式温水器１では、貯留空間Ａ内のすべての水Ｗｃが取水口１６から取水されて湯Ｗｈがヒートポンプ３に供給される事態（ヒートポンプ３が過負荷状態となる事態）を回避するために、一例として、取水用配管６内に設けた図示しない温度センサによる検出温度が規定温度（ヒートポンプ３に供給すべき水Ｗｃの温度よりも高い温度）に達したときに循環ポンプ４が自動停止する構成が採用されている。
【００４２】
この場合、湯Ｗｈおよび水Ｗｃが混合される事態を招くことなく、貯留空間Ａの上方側に湯Ｗｈが貯湯され、かつ、貯留空間Ａの下方側に水Ｗｃが貯水された状態が維持される貯湯タンク２を有する貯湯式温水器１では、湯Ｗｈと混合されて温度上昇した水（以下、混合されていない水Ｗｃと区別するために、「水Ｗｍ」ともいう）が取水口１６から取水されて水熱交換器２３に供給されることなく、常に、低温の水Ｗｃが水熱交換器２３に供給される。したがって、ヒートポンプ３の加熱能力が十分に残存している状態において、水Ｗｍが水熱交換器２３に供給されるのを阻止するための安全装置が機能して循環ポンプ４やヒートポンプ３の動作を停止させる事態を招くことがないため、十分な量の湯Ｗｈを貯湯タンク２内に貯湯するのに要する時間が長時間となる事態や、ヒートポンプ３の加熱効率の低下を招く事態が回避される。
【００４３】
一方、貯湯された湯Ｗｈを出湯する際には、一例として、出湯用配管８の下流側に設けられた図示しない開閉弁を開放操作する。この場合、前述したように、貯留空間Ａ内には、給水用配管５を介して水圧が加えられた状態（加圧された状態）となっている。したがって、出湯用配管８の先の開閉弁が開放操作されたときには、給水用配管５を介して加えられている水圧によって、貯留空間Ａにおける上方側に貯湯されている湯Ｗｈが出湯口１８から出湯用配管８に出湯される（「給水口から貯留空間内への水の給水圧力によって貯留空間内の湯を出湯口から出湯可能に構成されている」との構成の例）。
【００４４】
また、貯留空間Ａ内の湯Ｗｈが出湯されるのに伴い、給水用配管５を介して給水口１５から貯留空間Ａ内に水Ｗｃが導入される。この際に、この貯湯式温水器１（貯湯タンク２）では、給水口１５と対向するように整流板１３ａが貯留空間Ａ１内に配設されている。したがって、図４に示すように、給水口１５から貯留空間Ａ１内に流入した水Ｗｃは、貯留空間Ａ１内を上向きに移動して整流板１３ａの下面に当接する。これにより、整流板１３ａによって水Ｗｃの進行方向が変化させられて、水Ｗｃが整流板１３ａの下面に沿って矢印ｉ１の向き（横向き）に移動させられる。
【００４５】
また、この貯湯式温水器１（貯湯タンク２）では、貯留空間Ａにおける下方側（底板１１ａ寄り）に金属メッシュで円板状に形成された仕切板１２ａが固定されている。したがって、給水口１５から流入した水Ｗｃが整流板１３ａによって進行方向を横向きに変化させられて、この水Ｗｃがタンク本体１１の内壁面に当接して、内壁面に沿ってタンク本体１１の上下方向に移動したときに、下向きに移動した水Ｗｃが底板１１ａに当接し、上向きに移動した水Ｗｃが仕切板１２ａに当接することとなる。これにより、出湯口１８からの湯Ｗｈを勢い良く出湯し、これに起因して給水口１５からの水Ｗｃの導入量（給水口１５から導入する単位時間当りの水Ｗｃの流量）が増加した場合においても、この水Ｗｃが貯留空間Ａ１から貯留空間Ａ２に向かって貯留空間Ａ内を上向きに勢い良く流動する事態が回避される。
【００４６】
さらに、貯留空間Ａ１内に水Ｗｃが導入されているときには、仕切板１２ａよりも上方側の貯留空間Ａ２の水圧よりも貯留空間Ａ１内の水圧の方が高い状態となる。このような状態では、貯留空間Ａ１内に生じている水圧によって、貯留空間Ａ１内の水Ｗｃが、仕切板１２ａの各小孔を通過させられて貯留空間Ａ２内に徐々に移動する。この際には、タンク本体１１における貯留空間Ａ１内の内壁面、底板１１ａの上面および仕切板１２ａの下面の全域に対してほぼ均等に水圧が加わることとなる。したがって、仕切板１２ａの外縁部から中心部までの全域においてほぼ均等に水Ｗｃが各小孔を通過させられることとなる。これにより、貯留空間Ａ１から貯留空間Ａ２に向けて移動する水Ｗｃの流速が十分に低下した状態となる。
【００４７】
また、この貯湯式温水器１（貯湯タンク２）では、貯留空間Ａにおける上下方向の中央部下方寄りに、金属メッシュで円板状に形成された仕切板１２ｃが固定されている。したがって、貯留空間Ａ１から貯留空間Ａ２内に水Ｗｃが移動させられているときには、仕切板１２ｃよりも上方側の貯留空間Ａ３の水圧よりも貯留空間Ａ２内の水圧の方が高い状態となる。このような状態では、貯留空間Ａ２内に生じている水圧によって、貯留空間Ａ２内の水Ｗｃが、仕切板１２ｃの各小孔を通過させられて貯留空間Ａ３内に徐々に移動する。この際には、タンク本体１１における貯留空間Ａ２内の内壁面、仕切板１２ｃの下面および仕切板１２ａの上面の全域に対してほぼ均等に水圧が加わることとなる。したがって、仕切板１２ｃの外縁部から中心部までの全域においてほぼ均等に水Ｗｃが各小孔を通過させられることとなる。これにより、貯留空間Ａ２から貯留空間Ａ３に向けて移動する水Ｗｃの流速が十分に低下した状態となる。
【００４８】
さらに、この貯湯式温水器１（貯湯タンク２）では、貯留空間Ａにおける上下方向の中央部上方寄りに、金属メッシュで円板状に形成された仕切板１２ｄが固定されている。したがって、貯留空間Ａ２から貯留空間Ａ３内に水Ｗｃが移動させられているときには、仕切板１２ｄよりも上方側の貯留空間Ａ４の水圧よりも貯留空間Ａ３内の水圧の方が高い状態となる。このような状態では、貯留空間Ａ３内に生じている水圧によって、貯留空間Ａ３内の水Ｗｃが、仕切板１２ｄの各小孔を通過させられて貯留空間Ａ４内に徐々に移動する。この際には、タンク本体１１における貯留空間Ａ３内の内壁面、仕切板１２ｄの下面および仕切板１２ｃの上面の全域に対してほぼ均等に水圧が加わることとなる。したがって、仕切板１２ｄの外縁部から中心部までの全域においてほぼ均等に水Ｗｃが各小孔を通過させられることとなる。これにより、貯留空間Ａ３から貯留空間Ａ４に向けて移動する水Ｗｃの流速が十分に低下した状態となる。
【００４９】
この場合、この貯湯タンク２では、上記したように、給水口１５から貯留空間Ａ（Ａ１）内に導入された水Ｗｃが整流板１３ａに当接して進行方向を横向きに変化させられることにより、貯留空間Ａ内における水Ｗｃの上方に向かう移動速度が十分に低下させられる。また、給水口１５から水Ｗｃが順次導入されることにより、貯留空間Ａ１内に導入された水Ｗｃが仕切板１２ａの各小孔を通過して貯留空間Ａ２内に移動する際にも、仕切板１２ａの外縁部から中心部までの全域においてほぼ均等に水Ｗｃが各小孔を通過させられるため、貯留空間Ａ内における湯Ｗｈの上方に向かう移動速度が一層低下させられる。さらに、貯留空間Ａ２内に移動させられた水Ｗｃが仕切板１２ｃを通過して貯留空間Ａ３内に移動する際や、貯留空間Ａ３内に移動させられた水Ｗｃが仕切板１２ｄを通過して貯留空間Ａ４内に移動する際にも、仕切板１２ｃ，１２ｄの外縁部から中心部までの全域においてほぼ均等に水Ｗｃが各小孔を通過させられるため、貯留空間Ａ内における水Ｗｃの上方に向かう移動速度がさらに低下させられる。
【００５０】
したがって、貯留空間Ａ（Ａ５）内の湯Ｗｈが出湯口１８から出湯用配管８に出湯され、これに伴って給水口１５から貯留空間Ａ（Ａ１）内に水Ｗｃが導入されることで、貯留空間Ａ内における湯Ｗｈの量に対する水Ｗｃの量が徐々に増加する際に、貯留空間Ａ内に貯湯されている湯Ｗｈに向かって水Ｗｃが勢い良く流動する事態が回避される。これにより、水Ｗｃおよび湯Ｗｈが混合される事態を招くことなく、貯留空間Ａの上方側に湯Ｗｈが貯湯され、かつ、貯留空間Ａの下方側に水Ｗｃが貯水された状態が維持されて、貯留空間Ａ内に十分な量の水Ｗｃが導入される。この場合、湯Ｗｈおよび水Ｗｃが混合される事態を招くことなく、貯留空間Ａの上方側に湯Ｗｈが貯湯され、かつ、貯留空間Ａの下方側に水Ｗｃが貯水された状態が維持される貯湯タンク２を有する貯湯式温水器１では、湯Ｗｈと水Ｗｃとが混合された水Ｗｍが殆ど存在しない。したがって、水Ｗｃと混合されて水Ｗｍとなってしまう湯Ｗｈの湯量が少量のため、出湯口１８から出湯すべき高温の湯Ｗｈ（出湯に適した温度の湯Ｗｈ）の湯量が減少する事態が回避される。
【００５１】
一方、この貯湯式温水器１（貯湯タンク２）では、循環ポンプ４の逆回転時などに、水熱交換器２３内の水Ｗｃなどが取水用配管６を介して取水口１６から貯留空間Ａ内に逆流させられる。この際に、この貯湯式温水器１（貯湯タンク２）では、取水口１６と対向するように整流板１３ｃが貯留空間Ａ１内に配設されている。したがって、図６に示すように、取水口１６から貯留空間Ａ１内に逆流した水Ｗｃは、貯留空間Ａ１内を上向きに移動して整流板１３ｃの下面に当接する。これにより、整流板１３ｃによって水Ｗｃの進行方向が変化させられて、水Ｗｃが整流板１３ｃの下面に沿って矢印ｉ３の向き（横向き）に移動させられる。
【００５２】
このように、この貯湯タンク２、および貯湯タンク２を備えた貯湯式温水器１によれば、水Ｗｃおよび湯Ｗｈの通過が可能な複数の小孔が形成された板体で構成されて、貯留空間Ａ内における下方側に配設された状態でタンク本体１１に固定されると共に、貯留空間Ａを、給水口１５および取水口１６の側の貯留空間Ａ１と、給湯口１７および出湯口１８の側の貯留空間Ａ２〜Ａ５とに仕切る仕切板１２ａを備えたことにより、貯留空間Ａ内への水Ｗｃの導入に際して、タンク本体１１の底板１１ａと仕切板１２ａとの間の貯留空間Ａ１に水Ｗｃが導入されるため、貯留空間Ａ内に流入した水Ｗｃが直ちに仕切板１２ａよりも上方に移動する事態を回避することができると共に、貯留空間Ａ１内の水圧によって仕切板１２ａの全域においてほぼ均等に水Ｗｃが各小孔を通過させられて貯留空間Ａ２に移動する結果、水Ｗｃが上向きに移動する速度を十分に低下させることができる。したがって、給水口１５から導入した水Ｗｃが、貯留空間Ａ内に貯水されている水Ｗｃや貯留空間Ａ内に貯湯されている湯Ｗｈに向かって勢い良く流れ込む事態を回避することができるため、導入した水Ｗｃの水流によって水Ｗｃと湯Ｗｈとの境界層が破壊される事態を回避することができる。
【００５３】
また、この貯湯タンク２、および貯湯タンク２を備えた貯湯式温水器１によれば、給水口１５から貯留空間Ａ１内に導入された水Ｗｃが当接可能に給水口１５および仕切板１２ａの間に配設されて導入された水Ｗｃの進行方向をタンク本体１１の上下方向と交差する向き（この例では、横向き）に変化させる整流板１３ａを備えたことにより、給水口１５から貯留空間Ａ１内に上向きに流入した水Ｗｃの進行方向が整流板１３ａによって変化させられた時点において、この水Ｗｃが貯留空間Ａの上方側に貯湯されている湯Ｗｈに向かって移動する速度（貯留空間Ａ内における水Ｗｃの上向きの移動速度）が十分に低下させられる。この結果、導入した水Ｗｃの水流によって水Ｗｃと湯Ｗｈとの境界層が破壊される事態を一層好適に回避することができる。
【００５４】
さらに、この貯湯タンク２、および貯湯タンク２を備えた貯湯式温水器１によれば、水Ｗｃおよび湯Ｗｈの通過が可能な複数の小孔が形成された板体で構成されて、貯留空間Ａ内における上方側に配設された状態でタンク本体１１に固定されると共に、貯留空間Ａを、給湯口１７および出湯口１８の側の貯留空間Ａ５と、給水口１５および取水口１６の側の貯留空間Ａ１〜Ａ４とに仕切る仕切板１２ｂを備えたことにより、貯留空間Ａ内への湯Ｗｈの導入に際して、タンク本体１１の天板１１ｂと仕切板１２ｂとの間の貯留空間Ａ５に湯Ｗｈが導入されるため、貯留空間Ａ内に流入した湯Ｗｈが直ちに仕切板１２ｂよりも下方に移動する事態を回避することができると共に、貯留空間Ａ５内の水圧によって仕切板１２ｂの全域においてほぼ均等に湯Ｗｈが各小孔を通過させられて貯留空間Ａ４に移動する結果、湯Ｗｈが下向きに移動する速度を十分に低下させることができる。したがって、給湯口１７から導入した湯Ｗｈが、貯留空間Ａ内に貯湯されている湯Ｗｈや貯留空間Ａ内に貯水されている水Ｗｃに向かって勢い良く流れ込む事態を回避することができる。この結果、導入した湯Ｗｈの水流によって水Ｗｃと湯Ｗｈとの境界層が破壊される事態を回避することができる。
【００５５】
また、この貯湯タンク２、および貯湯タンク２を備えた貯湯式温水器１によれば、給湯口１７から貯留空間Ａ５内に導入された湯Ｗｈが当接可能に給湯口１７および仕切板１２ｂの間に配設されて導入された湯Ｗｈの進行方向をタンク本体１１の上下方向と交差する向き（この例では、横向き）に変化させる整流板１３ｂを備えたことにより、給湯口１７から貯留空間Ａ５内に下向きに流入した湯Ｗｈの進行方向が整流板１３ｂによって変化させられた時点において、この湯Ｗｈが貯留空間Ａの下方側に貯水されている水Ｗｃに向かって移動する速度（貯留空間Ａ内における湯Ｗｈの下向きの移動速度）が十分に低下させられる。この結果、導入した湯Ｗｈの水流によって水Ｗｃと湯Ｗｈとの境界層が破壊される事態を一層好適に回避することができる。
【００５６】
さらに、この貯湯タンク２、および貯湯タンク２を備えた貯湯式温水器１では、水Ｗｃおよび湯Ｗｈの通過が可能な複数の小孔が形成された板体で構成されて、貯留空間Ａ内における上下方向の中央部（この例では、中央部下方寄り）に配設された状態でタンク本体１１に固定されると共に、貯留空間Ａを、給水口１５および取水口１６の側の貯留空間Ａ１，Ａ２と、給湯口１７および出湯口１８の側の貯留空間Ａ３〜Ａ５とに仕切る仕切板１２ｃ、並びに、貯留空間Ａ内における上下方向の中央部（この例では、中央部上方寄り）に配設された状態でタンク本体１１に固定されると共に、貯留空間Ａを、給水口１５および取水口１６の側の貯留空間Ａ１〜Ａ３と、給湯口１７および出湯口１８の側の貯留空間Ａ４，Ａ５とに仕切る仕切板１２ｄを備えている。
【００５７】
したがって、この貯湯タンク２、および貯湯タンク２を備えた貯湯式温水器１によれば、貯留空間Ａ内に流入した水Ｗｃが直ちに仕切板１２ｃ，１２ｄよりも上方に移動する事態を回避することができると共に、貯留空間Ａ２内の水圧によって仕切板１２ｃの全域においてほぼ均等に水Ｗｃが各小孔を通過させられて貯留空間Ａ３に移動すると共に、貯留空間Ａ３内の水圧によって仕切板１２ｄの全域においてほぼ均等に水Ｗｃが各小孔を通過させられて貯留空間Ａ４に移動する結果、水Ｗｃが上向きに移動する速度を十分に低下させることができる。したがって、貯留空間Ａ内に貯湯されている湯Ｗｈに向かって、水Ｗｃが勢い良く流れ込む事態を回避することができるため、導入した水Ｗｃの水流によって水Ｗｃと湯Ｗｈとの境界層が破壊される事態を一層好適に回避することができる。また、この貯湯タンク２、および貯湯タンク２を備えた貯湯式温水器１によれば、貯留空間Ａ内に流入した湯Ｗｈが直ちに仕切板１２ｄ，１２ｃよりも下方に移動する事態を回避することができると共に、貯留空間Ａ４内の水圧によって仕切板１２ｄの全域においてほぼ均等に湯Ｗｈが各小孔を通過させられて貯留空間Ａ３に移動すると共に、貯留空間Ａ３内の水圧によって仕切板１２ｃの全域においてほぼ均等に湯Ｗｈが各小孔を通過させられて貯留空間Ａ２に移動する結果、湯Ｗｈが下向きに移動する速度を十分に低下させることができる。したがって、貯留空間Ａ内に貯水されている水Ｗｃに向かって、湯Ｗｈが勢い良く流れ込む事態を回避することができるため、導入した湯Ｗｈの水流によって水Ｗｃと湯Ｗｈとの境界層が破壊される事態を一層好適に回避することができる。
【００５８】
また、この貯湯タンク２、および貯湯タンク２を備えた貯湯式温水器１によれば、取水口１６から貯留空間Ａ１内に逆流した水Ｗｃが当接可能に取水口１６および仕切板１２ａの間に配設されて逆流された水Ｗｃの進行方向をタンク本体１１の上下方向と交差する向き（この例では、横向き）に変化させる整流板１３ｃを備えたことにより、取水口１６から貯留空間Ａ１内に上向きに逆流した水Ｗｃの進行方向が整流板１３ｃによって変化させられた時点において、この水Ｗｃが貯留空間Ａの上方側に貯湯されている湯Ｗｈに向かって移動する速度（貯留空間Ａ内における水Ｗｃの上向きの移動速度）が十分に低下させられる。この結果、循環ポンプ４の逆回転等に起因して逆流した水Ｗｃの水流によって水Ｗｃと湯Ｗｈとの境界層が破壊される事態を好適に回避することができる。
【００５９】
なお、金属メッシュで円板状に形成された仕切板１２ａ〜１２ｄを「第１の仕切板」、「第２の仕切板」および「第３の仕切板」として備えた構成を例に挙げて説明したが、「仕切板」の構成はこれに限定されず、一例として、図７に示すように、複数の小孔Ｈが形成された仕切板３２ａ〜３２ｄを上記の仕切板１２ａ〜１２ｄに代えて、「第１の仕切板」、「第２の仕切板」および「第３の仕切板」として使用することができる。なお、仕切板３２ａ〜３２ｄ以外の構成要素については、同一の符号を付して重複する説明を省略する。この仕切板３２ａ〜３２ｄは、その外径Ｌｏがタンク本体１１の内径Ｌｉと同径に形成されて、貯留空間Ａ内の各部に配設された状態でタンク本体１１に固定されている。したがって、上記の仕切板１２ａ〜１２ｄを有する貯湯タンク２と同様の効果を奏することができる。また、布状の素材で形成した「仕切板」、および水や湯の通過が可能な樹脂素材で形成した「仕切板」を使用することもできる。これらの「仕切板」を使用した貯湯タンク（図示せず）においても、上記の仕切板１２ａ〜１２ｄを有する貯湯タンク２と同様の効果を奏することができる。
【００６０】
また、「第３の仕切板」に相当する２枚の仕切板１２ｃ，１２ｄを備えた貯湯タンク２を例に挙げて説明したが、「第３の仕切板」の枚数は、１枚、または、３枚以上の複数枚とすることもできる。さらに、「第１の仕切板」や「第２の仕切板」による上記の効果が十分に奏される場合には、「第３の仕切板」を不要とすることもできる。また、「第１の仕切板」に相当する仕切板１２ａ、および「第２の仕切板」に相当する仕切板１２ｂの双方を備えた例について説明したが、「第１の仕切板」および「第２の仕切板」のいずれか一方だけを配設して貯湯タンクを構成することもできる（図示せず）。
【００６１】
さらに、「第１の整流板」に相当する整流板１３ａ、および「第２に整流板」に相当する整流板１３ｂの２枚を備えた貯湯タンク２を例に挙げて説明したが、仕切板１２ａによって奏される上記の効果が十分である場合には、整流板１３ａ（第１の整流板）を不要とし、仕切板１２ｂによって奏される上記の効果が十分である場合には、整流板１３ｂ（第２の整流板）を不要とすることもできる。加えて、加温装置としてのヒートポンプ３を備えた貯湯式温水器１、および加温装置としてのヒートポンプ３が加温した湯Ｗｈを貯湯する貯湯タンク２について説明したが、「加温装置」はこれに限定されず、電気式加温装置（電気ヒータによって水を加温して湯を生成する装置）、および燃焼式加温装置（石油や重油を燃料として燃焼させて水を加温して湯を生成する装置）などの各種加温装置がこれに含まれる。
【符号の説明】
【００６２】
１  貯湯式温水器
２  貯湯タンク
３  ヒートポンプ
４  循環ポンプ
１１  タンク本体
１１ａ  底板
１１ｂ  天板
１２ａ〜１２ｄ，３２ａ〜３２ｄ  仕切板
１３ａ〜１３ｃ  整流板
１５  給水口
１６  取水口
１７  給湯口
１８  出湯口
Ａ，Ａ１〜Ａ５  貯留空間
Ｈ  小孔
Ｗｃ  水
Ｗｈ  湯
【図１】
2012026601.tif 000003
【図２】
2012026601.tif 000004
【図３】
2012026601.tif 000005
【図４】
2012026601.tif 000006
【図５】
2012026601.tif 000007
【図６】
2012026601.tif 000008
【図７】
2012026601.tif 000009